(57)【要約】【目的】  極力番組を最後まで記録等することが可能であり、また、デコードによる処理負担を軽減することを可能にする携帯型視聴装置を提供する。【構成】  ＣＰＵ１３は、受信中の番組の番組情報がセクション処理部５に存在する場合、電池管理部１７からの電池残量情報から視聴可能時間を算出し、前記番組情報から得られた受信中の番組の終了までの時間と前記視聴可能時間との比較を行い、以下のように処理する。イ．視聴可能時間≧番組終了時間の場合、間欠無しで通常通りの視聴処理を行う。ロ．視聴可能時間＜番組終了時間の場合、（視聴可能時間／番組終了時間）×１００％或いは、（視聴可能時間／番組終了時間）×１００％±αの割合で間欠処理を行う。間欠処理では、全てのフレームのデコードではなく、一部のフレームのデコードを行う。【選択図】        図１
2006157314.tif 000002
【特許請求の範囲】
【請求項１】
駆動用電池を有し、受信したディジタル放送波を復調してストリームを生成し、このストリームからフレームを生成し、前記フレームをデコードするように構成された携帯型視聴装置において、それ自体でデコードが可能な独立フレーム及び前記独立フレームを参酌してデコードが行える付随フレーム群の全てを視聴のためにデコードする通常視聴モードと、前記独自フレームはデコードするが付随フレーム群の一部又は全部をデコードしない間欠視聴モードと（全付随フレーム群に対する前記デコードしない付随フレームの割合を間欠割合という）、の実行が行えるように構成されたことを特徴とする携帯型視聴装置。
【請求項２】
請求項１に記載の携帯型視聴装置において、前記間欠割合は、電池残量が少ないほど大きくなるように設定されることを特徴とする携帯型視聴装置。
【請求項３】
請求項１に記載の携帯型視聴装置において、前記間欠割合は、現受信番組の番組情報から得られた番組終了までの時間と、電池残量による受信視聴可能時間との対比によって、極力番組終了まで視聴できるように設定されることを特徴とする携帯型視聴装置。
【請求項４】
請求項１に記載の携帯型視聴装置において、前記間欠割合は、ユーザ入力された番組終了までの時間と、電池残量による受信視聴可能時間との対比によって、極力番組終了まで視聴できるように設定されることを特徴とする携帯型視聴装置。
【請求項５】
請求項１に記載の携帯型視聴装置において、前記間欠割合は、ユーザにより入力された画質と視聴時間とのいずれを優先するかを示す優先度と電池残量とを対応付けたテーブルによって定まることを特徴とする携帯型視聴装置。
【請求項６】
請求項１乃至請求項５のいずれかに記載の携帯型視聴装置において、所定条件下で前記間欠割合が再設定されるように構成されたことを特徴とする携帯型視聴装置。
【請求項７】
請求項１乃至請求項６のいずれかに記載の携帯型視聴装置において、前記間欠視聴モードでは、映像と音声のいずれかの生成を省く設定が行えるように構成されたことを特徴とする携帯型視聴装置。
【請求項８】
請求項１乃至請求項７のいずれかに記載の携帯型視聴装置において、ユーザによって前記通常視聴モードと間欠視聴モードとが選択されるように構成されたことを特徴とする携帯型視聴装置。
【請求項９】
請求項８に記載の携帯型視聴装置において、ユーザによって間欠視聴モードが選択された場合でも、所定条件下で通常視聴モードが実行される場合があるように構成されたことを特徴とする携帯型視聴装置。
【請求項１０】
駆動用電池を有し、受信したディジタル放送波を復調してストリームを生成し、このストリームから生成したフレームをメモリに記録するように構成された携帯型視聴装置において、それ自体でデコードが可能な独立フレーム及び前記独立フレームを参酌してデコードが行える付随フレーム群の全てを記録する通常記録モードと、前記独自フレームは記録するが付随フレーム群の一部又は全部を記録しない間欠記録モードと（全付随フレーム群に対する前記非記録の付随フレームの割合を間欠割合という）、の実行が行えるように構成されたことを特徴とする携帯型視聴装置。
【請求項１１】
駆動用電池を有し、受信したディジタル放送波を復調してストリームを生成し、前記ストリームをメモリに記録するように構成された携帯型視聴装置において、前記ストリームの全て又は略全てを記録する通常記録モードと、それ自体でデコードが可能な独立フレーム及び前記独立フレームを参酌してデコードが行える付随フレームを生成しつつ非記録の付随フレームを選定し、当該非記録の付随フレームに対応する部分が除かれたストリームを記録する間欠記録モードと（全付随フレーム群に対する前記非記録の付随フレームの割合を間欠割合という）、の実行が行えるように構成されたことを特徴とする携帯型視聴装置。
【請求項１２】
請求項１０又は請求項１１に記載の携帯型視聴装置において、前記間欠割合は、電池残量が少ないほど大きくなるように設定され、且つ、メモリ残量が少ないほど大きく設定され、いずれか大きい方の間欠割合が採用されることを特徴とする携帯型視聴装置。
【請求項１３】
請求項１０又は請求項１１に記載の携帯型視聴装置において、前記間欠割合は、現受信番組の番組情報から得られた番組終了までの時間と、電池残量及びメモリ残量による受信記録可能時間との対比によって、極力番組終了まで記録できるように設定されることを特徴とする携帯型視聴装置。
【請求項１４】
請求項１０又は請求項１１に記載の携帯型視聴装置において、前記間欠割合は、ユーザ入力された番組終了までの時間と、電池残量及びメモリ残量による受信記録可能時間との対比によって、極力番組終了まで記録できるように設定されることを特徴とする携帯型視聴装置。
【請求項１５】
請求項１０又は請求項１１に記載の携帯型視聴装置において、前記間欠割合は、ユーザにより入力された画質と記録時間とのいずれを優先するかを示す優先度と電池残量とを対応付けたテーブルと、ユーザにより入力された画質と記録時間とのいずれを優先するかを示す優先度とメモリ残量とを対応付けたテーブルとを用い、いずれか大きい方の間欠割合が採用されることを特徴とする携帯型視聴装置。
【請求項１６】
請求項１０乃至請求項１５のいずれかに記載の携帯型視聴装置において、受信番組の視聴処理を実行しないで記録する第１モードと受信番組の視聴処理を実行しつつ記録する第２モードとを備え、第１モード時の間欠割合よりも第２モード時の間欠割合の方が大となるように構成されたことを特徴とする携帯型視聴装置。
【請求項１７】
請求項１０乃至請求項１６のいずれかに記載の携帯型視聴装置において、所定条件下で前記間欠割合が再設定されるように構成されたことを特徴とする携帯型視聴装置。
【請求項１８】
請求項１０乃至請求項１７のいずれかに記載の携帯型視聴装置において、前記間欠記録モードでは、映像と音声のいずれかの記録を省く設定が行えるように構成されたことを特徴とする携帯型視聴装置。
【請求項１９】
請求項１０乃至請求項１８のいずれかに記載の携帯型視聴装置において、ユーザによって前記通常記録モードと間欠記録モードとが選択されるように構成されたことを特徴とする携帯型視聴装置。
【請求項２０】
請求項１９に記載の携帯型視聴装置において、ユーザによって間欠記録モードが選択された場合でも、所定条件下で通常記録モードが実行される場合があるように構成されたことを特徴とする携帯型視聴装置。
【請求項２１】
駆動用電池を有し、記録媒体からストリームを再生してフレームを生成するか又は記録媒体からフレームを再生するように構成された携帯型視聴装置において、それ自体でデコードが可能な独立フレーム及び前記独立フレームを参酌してデコードが行える付随フレーム群の全てを再生視聴のためにデコードする通常再生視聴モードと、前記独自フレームはデコードするが付随フレーム群の一部又は全部をデコードしない間欠再生視聴モードと（全付随フレーム群に対する前記デコードしない付随フレームの割合を間欠割合という）、の実行が行えるように構成されたことを特徴とする携帯型視聴装置。
【請求項２２】
請求項２１に記載の携帯型視聴装置において、前記間欠割合は、電池残量が少ないほど大きくなるように設定されることを特徴とする携帯型視聴装置。
【請求項２３】
請求項２１に記載の携帯型視聴装置において、前記間欠割合は、記録コンテンツについての再生時間と、電池残量による再生視聴可能時間との対比によって、極力コンテンツ終了まで視聴できるように設定されることを特徴とする携帯型視聴装置。
【請求項２４】
請求項２１に記載の携帯型視聴装置において、前記間欠割合が、ユーザにより入力された画質と視聴時間とのいずれを優先するかを示す優先度と電池残量とを対応付けたテーブルによって定まることを特徴とする携帯型視聴装置。
【請求項２５】
請求項２１乃至請求項２４のいずれかに記載の携帯型視聴装置において、所定条件下で前記間欠割合が再設定されるように構成されたことを特徴とする携帯型視聴装置。
【請求項２６】
請求項２１乃至請求項２５のいずれかに記載の携帯型視聴装置において、前記間欠再生視聴モードでは、映像と音声のいずれかの生成を省く設定が行えるように構成されたことを特徴とする携帯型視聴装置。
【請求項２７】
請求項２１乃至請求項２６のいずれかに記載の携帯型視聴装置において、ユーザによって前記通常再生視聴モードと間欠再生視聴モードとが選択されるように構成されたことを特徴とする携帯型視聴装置。
【請求項２８】
請求項２７に記載の携帯型視聴装置において、ユーザによって間欠再生視聴モードが選択された場合でも、所定条件下で通常再生視聴モードが実行される場合があるように構成されたことを特徴とする携帯型視聴装置。
【発明の詳細な説明】
【技術分野】
【０００１】
この発明は、例えば、地上ディジタル放送の視聴が可能な携帯電話などの携帯型視聴装置に関する。
【背景技術】
【０００２】
近年においては、携帯電話などの携帯機器にテレビ放送の視聴機能や記録機能を備えたものも提案されている（特許文献１参照）。更に、携帯型視聴装置用に地上ディジタル放送（１セグメント放送）が予定されている。
【特許文献１】特開２００３−１０１９２１号公報
【発明の開示】
【発明が解決しようとする課題】
【０００３】
ところで、携帯型視聴装置において放送視聴や記録を行う場合、バッテリやメモリとの関係で放送を最後まで視聴或いは記録できない場合が生じると予想される。また、デコードのためにＣＰＵの処理能力の多くが使われてしまうと、他の処理が円滑に行えないことが生じるおそれがある。
【０００４】
この発明は、上記の事情に鑑み、極力番組を最後まで記録等することが可能であり、また、デコードによる処理負担を軽減することを可能にする携帯型視聴装置を提供することを目的とする。
【課題を解決するための手段】
【０００５】
この発明の携帯型視聴装置は、上記課題を解決するために、駆動用電池を有し、受信したディジタル放送波を復調してストリームを生成し、このストリームからフレームを生成し、前記フレームをデコードするように構成された携帯型視聴装置において、それ自体でデコードが可能な独立フレーム及び前記独立フレームを参酌してデコードが行える付随フレーム群の全てを視聴のためにデコードする通常視聴モードと、前記独自フレームはデコードするが付随フレーム群の一部又は全部をデコードしない間欠視聴モードと（全付随フレーム群に対する前記デコードしない付随フレームの割合を間欠割合という）、の実行が行えるように構成されたことを特徴とする（以下、この項において第１構成という）。
【０００６】
上記の構成であれば、間欠視聴モードを選択するときには、前記独自フレームはデコードするが付随フレーム群の一部又は全部をデコードしないから、このデコードが行われない分、デコードによる処理負担を軽減することができる。また、特にデコード処理を別ＣＰＵが行うような場合に、非デコード期間は前記別ＣＰＵへの電力供給をカットするなどして電池の消費を抑制することができる。また、上記のごとく、一部デコードを行わないことで、動きが速い映像について見やすい映像となる場合がある。
【０００７】
第１構成の携帯型視聴装置において、前記間欠割合は、電池残量が少ないほど大きくなるように設定されるのがよい。
【０００８】
第１構成の携帯型視聴装置において、前記間欠割合は、現受信番組の番組情報から得られた番組終了までの時間と、電池残量による受信視聴可能時間との対比によって、極力番組終了まで視聴できるように設定されていてもよい。
【０００９】
第１構成の携帯型視聴装置において、前記間欠割合は、ユーザ入力された番組終了までの時間と、電池残量による受信視聴可能時間との対比によって、極力番組終了まで視聴できるように設定されていてもよい。
【００１０】
第１構成の携帯型視聴装置において、前記間欠割合は、ユーザにより入力された画質と視聴時間とのいずれを優先するかを示す優先度と電池残量とを対応付けたテーブルによって定まるようにしてもよい。
【００１１】
第１構成及びこれに従属する構成において、所定条件下で前記間欠割合が再設定されるように構成されていてもよい。
【００１２】
第１構成及びこれに従属する構成において、前記間欠視聴モードでは、映像と音声のいずれかの生成を省く設定が行えるように構成されていてもよい。
【００１３】
第１構成及びこれに従属する構成において、ユーザによって前記通常視聴モードと間欠視聴モードとが選択されるように構成されていてもよい。かかる構成において、ユーザによって間欠視聴モードが選択された場合でも、所定条件下で通常視聴モードが実行される場合があるように構成されていてもよい。
【００１４】
また、この発明の携帯型視聴装置は、駆動用電池を有し、受信したディジタル放送波を復調してストリームを生成し、このストリームから生成したフレームをメモリに記録するように構成された携帯型視聴装置において、それ自体でデコードが可能な独立フレーム及び前記独立フレームを参酌してデコードが行える付随フレーム群の全てを記録する通常記録モードと、前記独自フレームは記録するが付随フレーム群の一部又は全部を記録しない間欠記録モードと（全付随フレーム群に対する前記非記録の付随フレームの割合を間欠割合という）の実行が行えるように構成されたことを特徴とする（以下、この項において第２構成という）。
【００１５】
上記２構成であれば、間欠記録モードを選択するときには、前記独自フレームは記録するが付随フレーム群の一部又は全部を記録しないので、電池及びメモリの消費を抑制することができ、長時間の記録が可能となる。
【００１６】
また、この発明の携帯型視聴装置は、駆動用電池を有し、受信したディジタル放送波を復調してストリームを生成し、前記ストリームをメモリに記録するように構成された携帯型視聴装置において、前記ストリームの全て又は略全てを記録する通常記録モードと、それ自体でデコードが可能な独立フレーム及び前記独立フレームを参酌してデコードが行える付随フレームを生成しつつ非記録の付随フレームを選定し、当該非記録の付随フレームに対応する部分が除かれたストリームを記録する間欠記録モードと（全付随フレーム群に対する前記非記録の付随フレームの割合を間欠割合という）、の実行が行えるように構成されたことを特徴とする（以下、この項において第３構成という）。
【００１７】
上記２構成及び第３構成であれば、間欠記録モードを選択するときには、前記非記録の付随フレームに対応する部分が除かれたストリームを記録するから、電池及びメモリの消費を抑制することができ、長時間の記録が可能となる。
【００１８】
第２構成及び第３構成の携帯型視聴装置において、前記間欠割合は、電池残量が少ないほど大きくなるように設定され、且つ、メモリ残量が少ないほど大きく設定され、いずれか大きい方の間欠割合が採用されるのがよい。
【００１９】
第２構成及び第３構成の携帯型視聴装置において、前記間欠割合は、現受信番組の番組情報から得られた番組終了までの時間と、電池残量及びメモリ残量による受信記録可能時間との対比によって、極力番組終了まで記録できるように設定されていてもよい。
【００２０】
第２構成及び第３構成の携帯型視聴装置において、前記間欠割合は、ユーザ入力された番組終了までの時間と、電池残量及びメモリ残量による受信記録可能時間との対比によって、極力番組終了まで記録できるように設定されていてもよい。
【００２１】
第２構成及び第３構成の携帯型視聴装置において、前記間欠割合は、ユーザにより入力された画質と記録時間とのいずれを優先するかを示す優先度と電池残量とを対応付けたテーブルと、ユーザにより入力された画質と記録時間とのいずれを優先するかを示す優先度とメモリ残量とを対応付けたテーブルとを用い、いずれか大きい方の間欠割合が採用されるようにしてもよい。
【００２２】
第２構成及び第３構成及びこれらに従属する構成において、受信番組の視聴処理を実行しないで記録する第１モードと受信番組の視聴処理を実行しつつ記録する第２モードとを備え、第１モード時の前記割合よりも第２モード時の間欠割合の方が大となるように構成されていてもよい。
【００２３】
第２構成及び第３構成及びこれらに従属する構成において、所定条件下で前記間欠割合が再設定されるように構成されていてもよい。
【００２４】
第２構成及び第３構成及び及びこれらに従属する構成において、前記間欠記録モードでは、映像と音声のいずれかの記録を省く設定が行えるように構成されていてもよい。
【００２５】
第２構成及び第３構成及びこれらに従属する構成において、ユーザによって前記通常記録モードと間欠記録モードとが選択されるように構成されていてもよい。かかる構成において、ユーザによって間欠記録モードが選択された場合でも、所定条件下で通常記録モードが実行される場合があるように構成されていてもよい。
【００２６】
また、この発明の携帯型視聴装置は、駆動用電池を有し、記録媒体からストリームを再生してフレームを生成するか又は記録媒体からフレームを再生するように構成された携帯型視聴装置において、それ自体でデコードが可能な独立フレーム及び前記独立フレームを参酌してデコードが行える付随フレーム群の全てを再生視聴のためにデコードする通常再生視聴モードと、前記独自フレームはデコードするが付随フレーム群の一部又は全部をデコードしない間欠再生視聴モードと（全付随フレーム群に対する前記デコードしない付随フレームの割合を間欠割合という）、の実行が行えるように構成されたことを特徴とする（以下、この項においた第４構成という）。
【００２７】
上記の構成であれば、間欠再生視聴モードを選択するときには、前記独自フレームはデコードするが付随フレーム群の一部又は全部をデコードしないから、このデコードが行われない分、デコードによる処理負担を軽減することができる。また、特にデコード処理を別ＣＰＵが行うような場合に、非デコード期間は前記別ＣＰＵへの電力供給をカットするなどして電池の消費を抑制することができる。また、上記のごとく、一部デコードを行わないことで、動きが速い映像について見やすい映像となる場合がある。
【００２８】
上記第４構成の携帯型視聴装置において、前記間欠割合は、電池残量が少ないほど大きくなるように設定されるのがよい。
【００２９】
上記第４構成の携帯型視聴装置において、前記間欠割合は、記録コンテンツについての再生時間と、電池残量による再生視聴可能時間との対比によって、極力コンテンツ終了まで視聴できるように設定されるようにしてもよい。
【００３０】
上記第４構成の携帯型視聴装置において、前記間欠割合が、ユーザにより入力された画質と視聴時間とのいずれを優先するかを示す優先度と電池残量とを対応付けたテーブルによって定まるようにしてもよい。
【００３１】
上記第４構成及びこれに従属する構成において、所定条件下で前記間欠割合が再設定されるように構成されていてもよい。
【００３２】
上記第４構成及びこれに従属する構成において、前記間欠再生視聴モードでは、映像と音声のいずれかの生成を省く設定が行えるようにしてもよい。
【００３３】
上記第４構成及びこれに従属する構成において、ユーザによって前記通常再生視聴モードと間欠再生視聴モードとが選択されるように構成されていてもよい。かかる構成において、ユーザによって間欠再生視聴モードが選択された場合でも、所定条件下で通常再生視聴モードが実行される場合があるように構成されていてもよい。
【発明の効果】
【００３４】
以上説明したように、この発明によれば、極力番組を最後まで記録等することが可能であり、また、デコードによる処理負担を軽減することを可能にする等の諸効果を奏する。
【発明を実施するための最良の形態】
【００３５】
以下、この発明の実施形態の携帯型視聴装置を図１乃至図９に基づいて説明する。
【００３６】
図１は携帯型視聴装置としてのＴＶ付き携帯電話１００を示したブロック図である。このＴＶ付き携帯電話１００は地上ディジタル放送受信部を備える。この放送受信部において、地上アンテナ１は受信した信号を地上波ディジタルチューナ２に与える。地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリーム（ＴＳ）を出力する。
【００３７】
デマルチプレクサ（ＤＥＭＵＸ）３は、図９に示すトランスポート・ストリーム（ＴＳ）を、ＩＥＥＥのＨ．２６４などのビデオフレーム、オーディオフレーム、及びセクションに分離する。セクションには、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号、リモートコントロールキーＩＤ）などが含まれている。ビデオフレーム及びオーディオフレームはＡＶデコーダ４に供給され、セクションはセクション処理部５に供給される。セクション処理部５は、セクションのなかに含まれているＰＳＩ／ＳＩに基づいてＥＰＧ（電子番組ガイド）データの作成処理を行う。
【００３８】
ＡＶデコーダ４は、ビデオフレームに対してデコードを行うビデオデコーダ、及びオーディオフレームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００３９】
映像処理回路６はＡＶデコーダ４から映像データを受け取り、例えば、ＲＧＢデータを生成する。ＲＧＢデータは表示部（例えば、液晶表示パネル）８に与えられて映像表示がなされる。音声処理回路７はＡＶデコーダ４から出力された音声データを受け取ってＤ／Ａ変換を行い、例えば右（Ｒ）音のアナログ信号及び左（Ｌ）音のアナログ信号を生成する。これら音声信号はスピーカ９又は通話用とは別に設けられた図示しないスピーカに供給される。
【００４０】
受信したディジタル放送番組の記録時には、例えば、ビデオフレーム及びオーディオフレームが録画処理部１０に入力される（ＴＳ記録の場合もある）。記録処理部１０は、ビデオフレーム及びオーディオフレームを記録用のフォーマットに変換する。ファイルシステム１１は、フォーマット化されたファイルデータをメモリ（内蔵メモリ、着脱可能なメモリカード等）１２に記録する。一方、再生時には、再生対象となるファイルデータがファイルシステム１１によってメモリ１２から読み出されて録画処理部１０に供給される。録画処理部１０によって生成されたビデオフレーム及びオーディオフレームはＡＶデコーダ４に供給され、これによって再生が実行される。
【００４１】
メモリ管理部１４は、前記メモリ１２のメモリ残量情報を生成し、このメモリ残量情報をＣＰＵ１３に与える。メモリ残量は、全メモリ量に対する残量（メモリ空き容量）のパーセンテージでもよいし、使用可能なバイト量情報でもよい。ＣＰＵ１３は、メモリが全空である場合の記録可能時間として「１２０」というデータを持つ場合において、前記パーセンテージとして５０％といった情報を受け取ったときには、記録可能時間は６０分であると判断する。また、例えば、１秒間の映像記録で使用される単位バイト量情報を持つ場合においては、前記使用可能なバイト量を前記単位バイト量で割り算することにより記録可能時間（秒数）を算出することができる。勿論、上記処理例は一例である。
【００４２】
時刻管理部１５は現在時刻情報をＣＰＵ１３に与える。また、ＣＰＵ１３は、番組の視聴（記録）時において、セクション処理部５から番組の番組開始時刻及び番組継続時間情報を取得することができる。番組の途中から視聴（記録）を開始する場合、現在時刻から番組開始時刻を引いた値を求め、この値を番組継続時間情報から引くことにより、視聴（記録）時間を算出することができる。
【００４３】
操作部１６は、ＴＶ付き携帯電話１００におけるテンキー、十字キー（矢印キー）、各種機能キーから成る。
【００４４】
電池管理部１７は、電池（二次電池、一次電池）１８の残量を検出し、この残量情報をＣＰＵ１３に与える。電池残量は、電池残量を示すピクトグラム（例えば、表示部８の上部等に小さく表示される）の表示に利用される他、この発明にかかる視聴（記録）間欠制御にも利用される。ＣＰＵ１３は、電池残量１００％である場合の視聴（記録）可能時間として「１２０」というデータを持つ場合において、前記電池残量として５０％といった情報を電池管理部１７から受け取ったときには、視聴（記録）可能時間は６０分であると判断する。勿論、上記処理例は一例である。
【００４５】
電話機能部２０は、携帯電話のための通信制御及び通話処理を行う。
【００４６】
ここで、本発明の基本的な処理の概念を以下に示す。
イ．受信番組を最後まで記録したいのであれば、僅かでもよいから電池１８の消費電力を少なくする。
ロ．受信番組を最後まで記録したいのであれば、メモリ１２の使用量を少なくする。
ハ．受信番組を最後まで視聴したいのであれば、僅かでもよいから電池１８の消費電力を少なくする。
ニ．電池１８の残量及びメモリ１２の残量を検知し、この検知した値に基づく視聴（記録）可能時間と視聴（記録）終了時間とを比較することにより、最適な間欠割合（間欠間隔）を決定する。
ホ．間欠処理は、例えば、通常視聴／記録時のフレーム数よりも少ない数のフレームを生成することで実現される。
【００４７】
［設定処理］
視聴／記録の間欠処理のための設定は、例えば、スタンバイ状態でメニュー画面を呼び出し、このメニュー画面上の項目を選択してユーザが値を入力することで行うことができる。図２に設定のためのフローチャートを示す。ユーザが前記メニュー画面上で間欠機能を選択した場合には（ステップＳ１でＹＥＳ）、例えば、次画面として時刻入力枠の画面を表示する。ユーザはこの画面上で視聴又は記録の終了時刻を入力する（ステップＳ２でＹＥＳ、ステップＳ３）。時刻入力がスキップされたときには、番組情報（ＥＰＧ情報）を利用して番組終了までの時間を算出する設定となる（ステップＳ２でＮＯ）。次に、次画面として優先度の入力画面を表示する。この優先度は、ユーザ入力による終了時刻も存在せず且つ番組情報からも終了時刻を取得できなかった場合に、間欠割合の算出に利用される。例えば、図８のテーブルの縦軸に示すように、数値が小さいほど、画質を優先し、数値が大きいほど時間を優先するものとし、ユーザは所望の数値（優先度）を入力することになる。そして、上記図８に示したごとく、優先度と電池残量とから間欠割合が求まるテーブルをメモリに用意しておく。また、同様の形式で優先度とメモリ残量とから間欠割合が求まるテーブルも用意しておく。ユーザは、前記入力画面上で視聴又は記録における優先度（数値）を入力する（ステップＳ４）。
【００４８】
［視聴時の間欠割合の決定法］
テレビ視聴開始時、ＣＰＵ１３はセクション管理部（ＥＰＧ管理部）６に受信中の番組の番組情報が存在するかどうかを確認する処理を行う。また、ＣＰＵ１３は電池管理部１７から電池残量情報を取得する。
【００４９】
ＣＰＵ１３は、受信中の番組の番組情報が存在する場合、電池残量情報から視聴可能時間を算出し、前記番組情報から得られた現受信番組の終了までの時間と前記視聴可能時間との比較を行い、以下のように処理する。
【００５０】
イ．視聴可能時間≧番組終了時間の場合、間欠無しで通常モードでの視聴処理を行う。
ロ．視聴可能時間＜番組終了時間の場合、（視聴可能時間／番組終了時間）×１００％或いは、（視聴可能時間／番組終了時間）×１００％±αの割合でデコード処理を行うフレーム数を決定する。なお、全付随フレーム群に対する前記デコードされない付随フレームの割合を間欠割合とする。従って、間欠割合が大であるほど、デコードされない付随フレーム数は大となる。間欠視聴モード時のフレーム生成については、後述する。前記付随フレームは、後述するｎｏｎ＿ＩＤＲフレームに相当する。
【００５１】
番組情報が存在しない場合には、図２のステップＳ３で入力された終了時刻情報を利用する。また、この終了時刻情報も存在しない場合には、図２のステップＳ４で入力された優先度を利用する。ＣＰＵ１３はユーザにより入力された優先度と電池残量に基づき、図８のテーブルから間欠割合を決定する。
【００５２】
なお、記録済番組の再生視聴であれば、この記録番組の付属情報としてメモリ１２に格納しておいた再生時間情報を利用することができる。
【００５３】
［記録時の間欠割合の決定法］
記録開始時、ＣＰＵ１３はセクション管理部（ＥＰＧ管理部）６に受信記録中の番組の番組情報が存在するかどうかを確認する処理を行う。また、ＣＰＵ１３は電池管理部１７から電池残量情報を取得する。更に、ＣＰＵ１３は、メモリ管理部１４からメモリ残量情報を取得する。
【００５４】
番組情報が存在する場合、ＣＰＵ１３は番組情報から得られた番組終了までの時間と電池残量に基づく動作可能時間及びメモリ残量に基づく記録可能時間との比較を行い、以下のように処理する。
【００５５】
イ．電池残量に基づく動作可能時間≧番組終了時間で、且つメモリ残量に基づく記録可能時間≧番組終了時間の場合には、間欠無しで通常モードでの記録処理を行う。
ロ．上記以外の場合、（動作可能時間／番組終了時間）×１００％或いは、（動作可能時間／番組終了時間）×１００％±αの割合で記録フレーム数を仮決定する。また、（記録可能時間／番組終了時間）×１００％或いは、（記録可能時間／番組終了時間）×１００％±αの割合で記録フレーム数を仮決定する。両記録フレーム数のうち少ない記録フレーム数を採用する。ここで、全付随フレーム群に対する非記録の付随フレームの割合を間欠割合という。前記付随フレームは、後述するｎｏｎ＿ＩＤＲフレームに相当する。
【００５６】
番組情報が存在しない場合、図２のステップＳ３で入力された終了時刻情報を利用する。また、この終了時刻情報も存在しない場合には、図２のステップＳ４で入力された優先度を利用する。ＣＰＵ１３はユーザにより入力された優先度と電池残量とに基づいて図８のテーブルから間欠割合を取り出す。また、前記優先度とメモリ残量とに基づき、図示しないテーブルから間欠割合を取り出す。ＣＰＵ１３は、両間欠割合のうち値が大きいほうの間欠割合を採用する。なお、受信番組を視聴しながら記録する場合の間欠割合は、受信番組を視聴しないで記録する場合の間欠割合よりも大きくするようにしている。
【００５７】
上記の処理内容を簡単に示したフローチャートを図３に示す。視聴（記録）が開始されると、ＣＰＵ１３は間欠機能がＯＮであるかどうかを判断し（ステップＳ１１）、ＯＦＦである場合には通常視聴（記録）を行う（ステップＳ１２）。間欠機能がＯＮであるときには（ステップＳ１１でＹＥＳ）、電池残量（及びメモリ残量）を検知する（ステップＳ１３）。ＣＰＵ１３は終了時刻が存在するかどうかを判断する（ステップＳ１４）。終了時刻が存在しいない場合には、優先度に基づいて（図８のテーブル参照）、間欠割合を設定し（ステップＳ１５）、ステップＳ１７へ進む。一方、終了時刻が存在する場合には（ステップ１４でＹＥＳ）、終了時刻と電池残量（及びメモリ残量）との比較によって間欠割合を計算する（ステップＳ１６）。そして、間欠不要（０％）の場合には（ステップＳ１７でＹＥＳ）、通常モードの視聴（記録）を行う（ステップＳ１２）。間欠必要の場合には（ステップＳ１７でＮＯ）、間欠モードの視聴（記録）を行う（ステップＳ１８）。また、ＣＰＵ１３は、割り込み発生を監視し（ステップＳ１９）、割り込み発生を検知した場合には、割り込み処理を行い（ステップＳ２０）、割り込みを検知しない場合には視聴（記録）を終了する。
【００５８】
ところで、地上波ディジタル放送では、放送データは先述したように、トランスポート・ストリーム・パケット（Ｔｒａｎｓｐｏｒｔ  Ｓｔｒｅａｍ  Ｐａｃｋｅｔ）と呼ばれる固定長のデータからなるトランスポート・ストリーム（Ｔｒａｎｓｐｏｒｔ  Ｓｔｒｅａｍ）で構成されている。各ＴＳパケットには映像データ、音声データなどの各データによってＰＩＤが割り振られており、ＰＩＤによってデマルチプレクサ３は各データを分離する。
【００５９】
地上波ディジタル放送の携帯電話用放送において、映像符号化方式はＩＥＥＥのＨ．２６４が採用される。Ｈ．２６４に含まれるフレームには、ＩＤＲフレーム（独立フレーム）とｎｏｎ＿ＩＤＲフレーム（付随フレーム）があり、ＩＤＲフレームからデコードすると正常にデコードができることが保証されており、ＩＤＲフレームは確実にデコードすることが必要になる。
【００６０】
間欠処理において、例えば、通常視聴／記録が毎秒１５フレームのレートで行われるとすると、間欠割合８０％では、３（１５−１２）フレーム、間欠割合５０％では７（１５−８）フレーム、間欠割合４０％では９（１５−６）フレームのみ処理することになる。
【００６１】
間欠視聴処理において、Ｎフレーム（例えば、５フレーム）のみデコードする場合には、ＩＤＲフレームを１フレーム目とし、それから連続してＮフレームをデコード表示する。Ｎフレームの表示が終了すると、次のＩＤＲフレームを検知するまで映像データ（パケットＩＤ）のチェックを行う。具体的には、図４のフローチャートに示すように、Ｎフレームのみを視聴する場合、映像フレームが完成すると（ステップＳ２１）、ＩＤＲフレームであるかどうかを判断する（ステップＳ２２）。ＩＤＲフレームである場合にはフレームカウンタに０を設定し（ステップＳ２３）ステップＳ２５に進む。ＩＤＲフレームでない場合には、フレームカウンタの値がＮ以上かどうかを判断し（ステップＳ２４）、Ｎ以上であるときにはステップＳ２１へ戻る。一方、フレームカウンタの値がＮに満たない場合には（ステップＳ２４でＮＯ）、デコード表示を行う（ステップＳ２５）。またフレームカウンタをインクリメントし（ステップＳ２６）、ステップＳ２１へ戻る。
【００６２】
このような間欠視聴においては、ＩＤＲフレーム及び例えば５枚のｎｏｎ＿ＩＤＲフレームの表示が行われる。そして、最後のｎｏｎ＿ＩＤＲフレームの映像が残り１０枚分のフレーム期間中継続して表示される。そして、その後に次のＩＤＲフレームの表示及び５枚のｎｏｎ＿ＩＤＲフレームの表示と続いていくことになる。なお、音声については全フレームのデコードが行われる。
【００６３】
フレーム記録を行う場合には上記と同様の方法で記録フレームを判断し、記録フレームの記録を行う。具体的には、図５のフローチャートに示すように、まず、映像フレームを完成させる（ステップＳ４１）。次に、ＩＤＲフレームであるかどうかを判断し（ステップＳ４２）、ＩＤＲフレームである場合にはフレームカウンタに０を設定する（ステップＳ４３）。ＩＤＲフレームでない場合には（ステップＳ４２でＮＯ）、フレームカウンタの値がＮ以上であるかどうかを判断する（ステップＳ４４）。フレームカウンタの値がＮ以上である場合には、ステップＳ４１へ戻り、フレームカウンタの値がＮに満たさない場合には、記録を行う（ステップＳ４５）。またフレームカウンタのインクリメントを実行し（ステップＳ４６）、ステップＳ４１へ戻る。なお、録画処理部１０は、間欠記録を行った場合には、間欠割合を記録番組の付随情報としてメモリ１２に記録する。再生時には、前記間欠割合に基づき、前記間欠視聴（省かれたフレーム分の継続表示）と同様の処理を行う。また、記録番組の付属情報として省かれたフレーム数をメモリ１２に記録してもよい。
【００６４】
ＴＳ記録を行う場合、図６のフローチャートに示すように、ＴＳパケットを取得するとバッファリングを行う（ステップＳ５１）。ＴＳパケットが映像データでない場合（ステップＳ５２でＮＯ）、次のＴＳパケット取得を行う（ステップＳ５１に進む）。ＴＳパケットが映像データである場合（ステップＳ５２でＹＥＳ）、映像フレームが完成したかどうかを判定する（ステップＳ５３）。映像フレームが完成していない場合、次のＴＳパケット取得を行う（ステップＳ５１に進む）。フレームが完成すると、ＩＤＲフレームかｎｏｎ＿ＩＤＲフレームかの判定を行い（ステップＳ５４）、ＩＤＲフレームの場合、フレームカウンタに０を設定し、記録開始位置から全てのＴＳパケットを記録し（ステップＳ５８）、フレームカウンタをインクリメントする（ステップＳ５９）。ＩＤＲフレームでない場合には（ステップＳ５４でＮＯ）、フレームカウンタの値がＮ以上かどうかを判断する（ステップＳ５６）。フレームカウンタの値がＮ以上の場合には、映像ＴＳパケット以外のＴＳパケットを記録し（ステップＳ５７）、ステップＳ６０に進む。一方、フレームカウンタの値がＮに満たない場合には（ステップＳ５６でＮＯ）、全てのＴＳパケットを記録し（ステップＳ５８）、フレームカウンタをインクリメントし（ステップＳ５９）、ステップＳ６０に進む。ステップＳ６０において記録開始位置を更新し、その後にステップＳ５１へ戻る。
【００６５】
映像と音声どちらか一方のみを視聴（記録）する場合には、不要となるＴＳパケットの取得は行わない（フィルタリングで廃棄する）ことにより、映像または音声どちらか一方だけを取得することができる。映像デコードを行わない場合には電力消費は一層抑制される。例えば、図７のフローチャートに示すように、ＴＳパケット取得を行い（ステップＳ３１）、取得したＴＳパケットが視聴するＴＳパケットであるかどうかを判断する（ステップＳ３２）。視聴するＴＳパケットである場合には（ステップＳ３２でＹＥＳ）、フレームを作成する（ステップＳ３３）。フレームが完成するまでステップＳ３２乃至ステップＳ３４を繰り返し、フレームが完成すると（ステップＳ３４でＹＥＳ）、デコード表示を行い（ステップＳ３５）、ステップＳ３１に戻る。
【００６６】
メモリ（内蔵メモリ、着脱可能なメモリカード等）１２に受信番組やその他のコンテンツが記録されている場合において、これを再生する場合に、上述した視聴における間欠処理を適用することができる。なお、この間欠処理は、記録コンテンツが通常記録モードで記録されている場合にのみ適用し、間欠記録モードで記録されている場合には、適用しないこととしてもよい。そして、この再生処理については、ディジタル放送受信部を備えない形態の再生専用携帯機器（再生機能付き携帯電話等も含む）においても利用できる。
【００６７】
また、割り込み処理が発生した場合（例えば、図３のステップＳ２０参照）、割り込みの処理中又は処理後に電池残量やメモリ残量を再検出し、間欠割合の再計算を行うこととしてもよい。また、間欠割合の計算及び再計算するタイミング（トリガー）は、定期的でもよいし、ユーザにより何らかの操作があったときでもよいし、なんらかのイベントをＣＰＵ１３が受けた時点でもよい。
【００６８】
また、上記の例では、間欠割合は可変としたが、ユーザによって間欠モードが選択された場合に、電池残量やメモリ残量にかかわらず間欠割合を一律５０％とする間欠モードが実行されるようにしてもよい。ユーザは、電池残量といった観点からではなく、ＣＰＵの処理負担軽減（何らかの処理が遅いと感じたとき）のために間欠モードを選択してもよい。また、通常モードと間欠モードの選択をユーザに行わせるのではなく、例えば、電池残量やメモリ残量が５０％を切ったときに自動的に間欠モードに移行するようにしてもよい。間欠モードでは、ｎｏｎ＿ＩＤＲフレームのデコードを全く行わない設定としてもよい。デコード専用回路（別ＣＰＵ）がデコード処理を担う場合、非デコード時に前記専用回路への通電をカットするようにすれば、電力消費は一層抑制される。
【図面の簡単な説明】
【００６９】
【図１】この発明の実施形態のＴＶ付き携帯電話を示したブロック図である。
【図２】この発明の実施形態の間欠設定を示したフローチャートである。
【図３】この発明の実施形態の間欠処理を示したフローチャートである。
【図４】この発明の実施形態の間欠視聴を示したフローチャートである。
【図５】この発明の実施形態の間欠記録（フレーム記録）を示したフローチャートである。
【図６】この発明の実施形態の間欠記録（ＴＳ記録）を示したフローチャートである。
【図７】この発明の実施形態の音声／映像単独視聴の間欠処理を示したフローチャートである。
【図８】この発明の実施形態の間欠処理のためのテーブルの一例を示した説明図である。
【図９】トランスポート・ストリームと映像／音声フレームとの関係を示した説明図である。
【符号の説明】
【００７０】
４    ＡＶデコーダ
１０  録画処理部
１２  メモリ
１３  ＣＰＵ
１４  メモリ管理部
１５  時刻管理部
１７  電池管理部
【図１】
2006157314.tif 000003
【図２】
2006157314.tif 000004
【図３】
2006157314.tif 000005
【図４】
2006157314.tif 000006
【図５】
2006157314.tif 000007
【図６】
2006157314.tif 000008
【図７】
2006157314.tif 000009
【図８】
2006157314.tif 000010
【図９】
2006157314.tif 000011